(57)【要約】【課題】メンテナンスが不用でかつデッキ下の束金物を容易に隠すことができる支持束およびデッキ材の支持構造を提供する。【解決手段】支持束６を、ベースプレート１５と、このベースプレート１５に立設されて、大引３を下方から支持する束本体１６と、ベースプレート１５に設置されて、束本体１６の周囲を覆う束カバー１７とを備えた構成とし、束基礎７上に、ベースプレート１５を固定し、支持束６の束本体１６の上端部に、大引３を介してデッキ材２を支持し、ベースプレート１５に、束カバー１７を束本体１６の周囲を覆うようにして設置することによって、束本体を容易に隠すことができる。【選択図】　　　　図１
2004100256.tif 000002
【特許請求の範囲】
【請求項１】
デッキ材を大引を介して下方から支持する支持束であって、ベースプレートと、このベースプレートに立設されて、前記大引を下方から支持する束本体と、前記ベースプレートに設置されて、前記束本体の周囲を覆う束カバーとを備えていることを特徴とする支持束。
【請求項２】
請求項１に記載の支持束において、
前記ベースプレートには、前記束カバーに係合して、この束カバーの水平方向の位置決めを行う位置決め部が設けられていることを特徴とする支持束。
【請求項３】
請求項１または２に記載の支持束において、
前記束本体は、前記ベースプレートに立設された第１軸部と、この第１軸部の上端部に軸回りに回転可能に螺合された第２軸部と、この第２軸部の上端部に設けられて、前記大引を受ける受部とを備え、
前記第２軸部の上端部には、この第２軸部を回転させる際に使用する工具が係合する係合部が設けられていることを特徴とする支持束。
【請求項４】
請求項１〜３のいずれか一項に記載の支持束において、
前記束カバーは、前記デッキ材と同質の材料で形成されていることを特徴とする支持束。
【請求項５】
請求項１〜４のいずれか一項に記載の支持束によって、大引を介してデッキ材を下方から支持したデッキ材の支持構造であって、
束基礎上に、前記支持束のベースプレートが固定され、
前記支持束の束本体の上端部に、前記大引を介して前記デッキ材が支持され、前記ベースプレートに、前記束カバーが前記束本体の周囲を覆うようにして設置されていることを特徴とするデッキ材の支持構造。
【請求項６】
請求項５に記載のデッキ材の支持構造において、
複数の前記デッキ材を複数の前記支持束によって前記大引を介して支持して並設することによってデッキが形成され、このデッキの下面外周部に幕板が垂設されており、
この幕板の下端は、前記支持束の束カバーの上端より下方に位置していることを特徴とするデッキ材の支持構造。
【発明の詳細な説明】
【０００１】
【発明の属する技術分野】
本発明は、建築物の屋外の庭や公園などに設置されるデッキを構成するデッキ材を支持する支持束およびデッキ材の支持構造に関する。
【０００２】
【背景の技術】
上記のようなデッキの構造の一例として、例えば、帯板状のデッキ材を複数並設するとともに、これらデッキ材を該デッキ材と直交する方向に長尺な大引によって下方から支持し、さらに、この大引を束金物によって下方から支持するような技術が知られている。（例えば、特許文献１参照）。
【０００３】
ところで、上記公報に記載のデッキの構造では、デッキと地盤との間に束金物が露出しているために、デッキを側面視あるいは正面視した場合に、束金物が見えてしまい、外観上あまり好ましくない。このため例えば、デッキの外周下方の地盤に植え込みを設けたり、デッキの外周と地盤との間を覆い材で覆ったりすることによって束金物を隠すことが考えられる。
【０００４】
【特許文献１】
特開２００１−３１７１２１号公報
【０００５】
【発明が解決しようとする課題】
しかし、植え込みを設けるのには手間がかかるばかりでなく、植え込みの成長に応じて植え込みを刈り込むなどのメンテナンスが必要となる。
一方、デッキの外周と地盤との間を覆い材で覆うと、デッキ下の通風が悪くなって好ましくないという問題が生じる。
【０００６】
本発明は上記事情に鑑みてなされたもので、メンテナンスが不用でかつデッキ下の束金物を容易に隠すことができる支持束およびデッキ材の支持構造を提供することを目的としている。
【０００７】
【課題を解決するための手段】
上記目的を達成するために、請求項１に記載の発明は、例えば図１〜図１０に示すように、デッキ材２を大引３を介して下方から支持する支持束６であって、ベースプレート１５と、このベースプレート１５に立設されて、前記大引３を下方から支持する束本体１６と、前記ベースプレート１５に設置されて、前記束本体１６の周囲を覆う束カバー１７とを備えていることを特徴とする。
【０００８】
請求項１に記載の発明によれば、ベースプレート１５に立設された束本体１６の周囲を、ベースプレート１５に設置された束カバー１７によって覆うことによって、束本体１６を隠すことができ、よって、デッキ材２で構成されたデッキ２１下で束本体が見えることがなく、外観上好ましいものとなる。
また、植え込み等に必要とされるメンテナンスも必要なく、デッキ下の通風も確保できる。
【０００９】
請求項２に記載の発明は、請求項１に記載の支持束において、
前記ベースプレート１５には、前記束カバー１７に係合して、この束カバー１７の水平方向の位置決めを行う位置決め部１８が設けられていることを特徴とする。
【００１０】
ここで、前記位置決め部としては、例えば、ベースプレートに凸部を、束カバーの内周方向に沿って形成し、この凸部を束カバーの下端内周面に係合させてもよく、また、この凸部を束カバーの下端外周面に係合させてもよいが、凸部を束カバーの下端内周面に係合させた方が、束カバーを設置した際に外側から見えないので好ましい。なお、凸部は束カバーの周方向に延在するようにして設けてもよいし、周方向に所定間隔で設けてもよい。
さらに、位置決め部として、ベースプレートに束カバーの下端が係合するような係合溝を束カバーの周方向に沿って形成してもよい。
【００１１】
請求項２に記載の発明によれば、束カバー１７を位置決め部１８に係合することによって、束カバー１７の水平方向の位置決めを容易に行って、該束カバー１７をベースプレート１５に容易に設置できる。
【００１２】
請求項３に記載の発明は、請求項１または２に記載の支持束において、
前記束本体１６は、前記ベースプレート１５に立設された第１軸部１６ａと、この第１軸部１６ａの上端部に軸回りに回転可能に螺合された第２軸部１６ｂと、この第２軸部１６ｂの上端部に設けられて、前記大引３を受ける受部１６ｃとを備え、
前記第２軸部１６ｂの上端部には、この第２軸部１６ｂを回転させる際に使用する工具が係合する係合部（ナット）１６ｄが設けられていることを特徴とする。
【００１３】
請求項３に記載の発明によれば、第２軸部１６ｂの上端部に係合部１６ｄが設けられているので、束本体１６の周囲が束カバー１７に覆われた状態で、係合部１６ｄに工具を係合して第２軸部１６ｂを回すことによって、この第２軸部１６ｂは螺合している第１軸部１６ａに対して軸方向に進退する。したがって、束本体１６の高さ調整を束カバー１７があっても容易に行える。
【００１４】
請求項４に記載の発明は、請求項１〜３のいずれか一項に記載の支持束において、
前記束カバー１７は、前記デッキ材２と同質の材料で形成されていることを特徴とする。
【００１５】
例えば、デッキ材がセルロース系微粉粒と樹脂とを含む材料で形成されている場合、束カバーも同様の材料で形成する。この場合、デッキ材と束カバーの色彩は等しいか、近似したものにするのが好ましい。また、表面仕上げの状態も等しいか近似したものとするのが好ましい。
【００１６】
請求項４に記載の発明によれば、前記束カバー１７は、前記デッキ材２と同質の材料で形成されているので、デッキ材２で形成されたデッキ２１を正面および側面視したときに、束カバー２とデッキ材７とが調和して外観上好ましいものとなる。
【００１７】
請求項５に記載の発明は、請求項１〜４のいずれか一項に記載の支持束６によって、大引３を介してデッキ材２を下方から支持したデッキ材の支持構造であって、
束基礎７上に、前記支持束６の前記ベースプレート１５が固定され、
前記支持束６の束本体１６の上端部に、大引３を介してデッキ材２が支持され、
前記ベースプレート１５に、前記束カバー１７が前記束本体１６の周囲を覆うようにして設置されていることを特徴とする。
【００１８】
請求項５に記載の発明によれば、ベースプレート１５に立設された束本体１６の周囲が、ベースプレート１５に設置された束カバー１７によって覆われているので、束本体１６を隠すことができ、よって、デッキ材２で構成されたデッキ下で束本体１６が見えることがなく、外観上好ましいものとなる。
また、植え込み等に必要とされるメンテナンスも必要なく、デッキ下の通風も確保できる。
【００１９】
請求項６に記載の発明は、請求項５に記載のデッキ材の支持構造において、
複数の前記デッキ材２を複数の前記支持束６によって前記大引３を介して支持して並設することによってデッキ２１が形成され、このデッキ２１の下面外周部に幕板２２，２３が垂設されており、
この幕板２２，２３の下端は、前記支持束６の束カバー１７の上端より下方に位置していることを特徴とする。
前記幕板２２，２３は、デッキ材２と同質の材料で形成するのが好ましい。
【００２０】
請求項６に記載の発明によれば、幕板２２，２３の下端が、束カバー１７の上端より下方に位置しているので、束本体１６によって支持されている大引３を幕板２２，２３によって隠すことができる。束本体１６は束カバー１７によって隠されているので、デッキ下で束本体１６、大引３の両方を隠すことができ、外観上より好ましいものとなる。
【００２１】
【発明の実施の形態】
以下図面を参照して本発明の実施の形態について説明する。
図１は、本実施の形態のデッキの支持構造を示す斜視図である。このデッキの支持構造は、開口部１２を有する建物１１の外部に構築されるものであって、地盤１０上に設置された束基礎７の上方に立設された支持束６の上部に大引３を架設し、さらに大引３の上に、複数のデッキ材２を設置してなるものである。
【００２２】
デッキ材２は、セルロース系微粉粒と樹脂とを混合し、この混合材料を溶融させて押出成形することで形成された帯板状のものである。ここで、前記セルロース系微粉粒は、例えば、木材の粗粉砕物、バカスの粗粉砕物、稲藁の粗粉砕物等における各種植物細胞体の原料材粗粉砕物を出発原料とし、これを磨砕処理することによって得ることができる。
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、粗粉砕物から微粉砕物にする粉砕処理と、微粉砕された粉粒を、繊維状態のものが絡み合い、その表面が繊毛で覆われている状態の粉粒形状から、表面に繊毛が少ない状態となるように表面研磨する研磨処理とを併せた処理を指している。
【００２３】
また、前記樹脂としては、一旦は製造された樹脂をも含めた、硬質樹脂、軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂がより好適である。ここで、一旦は製造された樹脂とは、ペットボトルやビニールシートのように成形品として一旦は機能したものの他、成形時に不良となったもの、成形時・加工時などに生じる端材のことである。
【００２４】
そして、押出成形されたデッキ材２は、その表面にサンディングや塗装等の表面処理を施すことによって、木質感に加えて、天然の木目に極めて近い木目模様が形成される。また、前記セルロース系微粉粒は、直径が１〜１００μｍの粒径状をなすものであり、従来のような繊毛上の突出部分がないので、従来の木粉のごとく水（湿気を含む）、溶剤等を吸着することのない、防水性、防腐性を持った木質様製品として、前記デッキ材２は形成される。
【００２５】
大引３はデッキ材２を下方から支持するもので、断面略コ字状に形成された長尺な部材である。この大引３はデッキ材２の架設方向と交差する方向に架設されている。
大引３には以下のようにしてデッキ材２が固定されている。すなわち、図１〜図６に示すように、デッキ材２の側面には、該デッキ材２が大引３と交差する位置ごとに、スリット孔２ａが設けられている。互いに隣接して大引３の上に並設されるデッキ材２のスリット孔２ａには、第１の固定具４の頭部４ａが挿入されており、第１の固定具４のねじ部４ｂは、大引３に形成された長孔３ａに挿通されている。長孔３ａに挿通されたねじ部４ｂにはナットが螺合されており、このナットを締め付けることによって、デッキ材２が大引３に固定されている。
【００２６】
また、大引３の上に並設されるデッキ材２のうち、少なくともその並設方向の両端部のデッキ材２Ａの下面には、該端部のデッキ材２Ａが大引３と交差する位置ごとに、開口部２ｂが設けられている。そして、この開口部２ｂには、第２の固定具５の頭部５ａが挿入され回転させた上で、ねじ部５ｂが大引３に形成された孔３ｂに挿通されている。孔３ｂに挿通されたねじ部５ｂにはナットが螺合されており、このナットを締め付けることによって、端部のデッキ材２Ａが大引３に固定されている。
なお、第１の固定具４および第２の固定具５は、工事現場に搬入される前に、大引３に予め取り付けられている。
【００２７】
大引３を下方から支持する支持束６は以下のように構成されている。すなわち図４、図７、図８〜図１０に示しように、支持束６は、ベースプレート１５と、このベースプレート１５に立設されて、大引３を下方から支持する束本体１６と、ベースプレート１５に設置されて、束本体１６の周囲を覆う束カバー１７とを備えている。
ベースプレート１５は、長方形または正方形板状のものであり、ボルトやコンクリート釘等の止着材１８…によって、束基礎７の上面に固定されている。また、ベースプレート１５の上面の四隅部には、それぞれ位置決め部１８が突出形成されている。この位置決め部１８は、束カバー１７の水平方向に位置決めを行うものであり、束カバー７の下端内周面に当接している。
【００２８】
束本体１６は、ベースプレート１５に立設された第１軸部１６ａと、この第１軸部１６ａの上端部に軸回りに回転可能に螺合された第２軸部１６ｂと、この第２軸部１６ｂの上端部に設けられて、大引３を受ける受部１６ｃとを備えている。
第１軸部１６ａの下端部はベースプレートに固定されており、上端部には雌ねじ部が形成されている。第２軸部１６ｂの下端部には雄ねじ部が形成されており、この雄ねじ部は第１軸部１６ａの雌ねじ部に螺合されている。また、第２軸部１６ｂの上端部には、この第２軸部１６ｂを回転させる際に使用する工具が係合するナット（係合部）１６ｄが固定されている。第２軸部１６ｂは受部１６ｃに対して軸回りに回転可能であり、したがって、ナット１６ｄにスパナ等の工具を係合して回すことによって、第２軸部１６ｂが回転するが、この第２軸部１６ｂは第１軸部１６ａに螺合しているので、第２軸部１６ｂは回転とともに上下に移動し、これによって束本体１６の高さ調節ができるようになっている。なお、第２軸部１６ｂには、第１軸部１６ａとの接続部においてナット１６ｅが螺合されている。このナット１６ｅは第２軸部１６ｂを回転させた後、所定の位置で固定するストッパとしての機能を果すものである。
【００２９】
受部１６ｃは大引３の下部が係合する係合部を備えている。この係合部に大引３の下部を係合させたうえで、ボルト１９によって締め付けることによって、オ大引３が受部１６ｃに固定されている。
【００３０】
束カバー１７は、四角筒または円筒状ものであり、その上端は束本体１６の受部１６ｃより若干下方に位置している。また、束カバー１７の下端面はベースプレート１５に設置されており、該束カバー１７の下端部内周面は、前記位置決め部１８に当接されている。これによって、束カバー１７の水平方向の位置決めがなされている。
また、束カバー１７はデッキ材２と同質の材料で押出成形されたものであり、その表面にサンディングや塗装等の表面処理を施すことによって、木質感に加えて、天然の木目に極めて近い木目模様が形成されている。
【００３１】
このような構成の支持束６は、図１に示すように、複数の束基礎７の上面にそれぞれ固定され、これら支持束６の受部１６ｃによって複数の大引３が支持され、これら大引３によって支持されて、並設された複数のデッキ材２によってデッキ２１が形成されている。
このデッキ２１の下面外周部には以下のようにして側面幕板２２と正面幕板２３が垂設されている。すなわち、複数の大引３の両端部には、図４〜図６に示すように、それぞれ取付金具２５がボルト２５ａとナットで固定されており、この取付金具２５に側面幕板２２が木ねじ２６によって、デッキ２１の下面から垂下するようにして取り付けられている。この側面幕板２２はデッキ２１の側面と平行に延在する帯板状のものであり、該側面幕板２２の下端は、支持束１６の束カバー１７の上端より下方に位置している。
【００３２】
また、デッキ２１の先端部を支持している大引３には、図７および図８に示すように、取付金具２７がボルト２７ａとナットで固定されており、この取付金具２７に正面幕板２３が木ねじ２８によって、デッキ２１の下面から垂下するようにして取り付けられている。この正面幕板２３はデッキ２１の先端面と平行に延在する帯板状のものであり、該正面幕板２３の下端は、支持束１６の束カバー１７の上端より下方に位置している。
なお、これら側面幕板２２および正面幕板２３は、束カバー１７やデッキ材２と同質の材料で押出成形されたものであり、その表面にサンディングや塗装等の表面処理を施すことによって、木質感に加えて、天然の木目に極めて近い木目模様が形成されている。
【００３３】
次に、支持束６によってデッキ材２を支持する方法について説明する。
まず、デッキを形成する庭等の地盤に、図１および図１０に示すように、複数の束基礎７を前後左右に所定間隔で設置するとともに、これら束基礎７の上面をほぼ面一に調整する。
次に、各束基礎７の上面にそれぞれ支持束６を設置固定する。この場合、束基礎７の上面に、支持束６のベースプレート１５をボルトやコンクリート釘等の止着材で固定する。
【００３４】
次に、各支持束６の高さ調整を行う。この場合、束本体１６の第１軸部１６ａをナット１６ｄに工具を係合して回すことによって、第１軸部１６ａを上下に移動させて、全ての支持束６の受部１６ｃの高さが全てほぼ等しくなるように調整する。
次に、各束本体１６に上方から束カバー１７を被せ、この束カバー１７によって束本体１６の周囲を覆う。この状態において、受部１６ｃとナット１６ｄは束カバー１７の上端より上方に位置している。
【００３５】
次に、図４および図７に示すように、横方向に並んでいる支持束６のそれぞれの受部１６ｃの係合部に大引３を設置係合し、この状態で大引３上に水準器等を載せて大引３を水平に調節する。この場合、ナット１６ｄに工具を係合して回し、第１軸部１６ａを上下に微動させることによって行う。
【００３６】
大引３が水平に設置されたことを確認した後、この大引３を受部１６ｃにボルト１９によって固定する。
次に図５、図６および図８に示すように、複数の大引３の両端部に、それぞれ取付金具２５をボルト２５ａとナットで固定し、この取付金具２５に側面幕板２２を木ねじ２６によって取り付ける。
また、先端部に位置している大引３に、取付金具２７をボルト２７ａとナットで固定し、この取付金具２７に正面幕板２３を木ねじ２８によって取り付ける。なお、側面幕板２２と正面幕板２３とはそれぞれ予め取付金具２５，２７に固定しておいてもよい。
【００３７】
次に、大引３に以下のようにしてデッキ材２を取りつける。すなわち、図２および図３に示すように、まず、端部のデッキ材２Ａを大引３の上面に載置する。この際、大引３の上フランジに取り付けられた第２の固定具５の頭部５ａが、端部のデッキ材２Ａの下面に形成された開口部２ｂの内部に挿入されるようにする。
次に、第２の固定具５を上方に持ち上げながら回転させた上で、第２の固定具５のねじ部５ｂにナットを仮締めする。続いて、第１の固定具４を持ち上げて、その頭部４ａを端部のデッキ材２Ａの側面に形成されたスリット孔２ａに挿入した上で、第２の固定具５のねじ部５ｂにナットを本締めするとともに、第１の固定具４のねじ部４ｂにナットを仮締めする。
【００３８】
続いて、端部のデッキ材２Ａに隣接する次のデッキ材２を、端部のデッキ材２Ａのスリット孔２ａに挿入された第１の固定具４の頭部４ａに、該デッキ材２のスリット孔２ａが係合するようにして載置する。また、デッキ材２の端部のデッキ材２Ａとは反対側の第１の固定具４を持ち上げて、その頭部４ａをデッキ材２の他方の側面に形成されたスリット孔２ａに挿入する。
そして、端部のデッキ材２Ａとデッキ材２との間に挟まれた第１の固定具４のねじ部４ｂにナットを本締めするとともに、端部のデッキ材２Ａとは反対側のスリット孔２ａに挿入された第１の固定具４のねじ部４ｂにナットを仮締めする。以降、同様の作業を繰り返すことで、デッキ材２を大引３の長手方向に順次固定していき、デッキ２１を構築する。
【００３９】
本実施の形態によれば、以下のような効果を得ることができる。
▲１▼ベースプレート１５に立設された束本体１６の周囲を、ベースプレート１５に設置された束カバー１７によって覆うことによって、束本体１７を隠すことができ、よって、デッキ材２で構成されたデッキ２１下で束本体１６が見えることがなく、外観上好ましいものとなる。
また、植え込み等に必要とされるメンテナンスも必要なく、デッキ下の通風も確保できる。
▲２▼束カバー１７の下端部内周面をベースプレート１５に設けられた位置決め部１８に係合することによって、束カバー１７の水平方向の位置決めを容易に行って、該束カバー１７をベースプレート１５に容易に設置できる。また、位置決め部１８を束カバー１７によって隠すことができるので、より外観上好ましくなる。
【００４０】
▲３▼第２軸部１６ｂの上端部にナット１６ｄが設けられているので、束本体１６の周囲が束カバー１７に覆われた状態で、ナット１６ｄに工具を係合して第２軸部１６ｂを回すことによって、この第２軸部１６ｂは螺合している第１軸部１６ａに対して軸方向に進退する。したがって、束本体１６の高さ調整を束カバー１７があっても容易に行える。
▲４▼束カバー１７は、デッキ材２や幕板２２，２３と同質の材料で形成され、それらの表面に、サンディングや塗装等の表面処理を施すことによって、木質感に加えて、天然の木目に極めて近い木目模様が形成されているので、デッキ２１を正面および側面視したときに、束カバー１７とデッキ材２や幕板２２，２３とが調和してさらに外観上好ましいものとなる。
【００４１】
▲５▼幕板２２，２３の下端が、束カバー１７の上端より下方に位置しているので、束本体１７によって支持されている大引３を幕板２２，２３によって隠すことができる。束本体１６は束カバー１７によって隠されているので、デッキ下で束本体１７、大引３の両方を隠すことができ、外観上より好ましいものとなる。
▲６▼デッキ材２、束カバー１７、幕板２３，２３は、セルロース系微粉粒と樹脂とを混合し、この混合材料を溶融させて押出成形することで形成されたものであるので、防水性、防腐性を有するデッキの構造となる。特に、前記固定具４，５近傍のデッキ材２が腐朽することがないので、デッキ材２と大引３との間の固定強度が損なわれることがない。
▲７▼互いに隣接して大引３の上に並設される前記デッキ材２のスリット孔２ａに第１の固定具４の頭部４ａを係合した上で、ねじ部４ｂが大引３にナットによって止着されることで、デッキ材２が大引３に固定されているので、デッキ材２を大引３に簡便かつ確実に固定することができる。
【００４２】
なお、本発明は上記の実施の形態に限定されることなく、本発明の主旨を逸脱しない範囲において、種々の改良並びに設計の変更を行ってもよい。例えば、上記の実施の形態においては、デッキ材２を断面の外周が矩形状の長尺な板状部材としたが、本発明はこれに限定されるものではなく、例えば円筒状の部材としてもよい。また、上記実施の形態では、デッキ２１は屋外空間に構築されたものであるが、本発明はこれに限定されるものではなく、例えば建物の屋内空間に構築される床構造に本発明のデッキの構造を適用してもよい。その他、具体的な細部構造などについても適宜に変更可能であることは勿論である。
【００４３】
【発明の効果】
以上説明したように、請求項１および５に記載の発明によれば、束本体の周囲を束カバーによって覆うことによって、束本体を隠すことができ、よって、デッキ材で構成されたデッキ下で束本体が見えることがなく、外観上好ましいものとなる。
また、植え込み等に必要とされるメンテナンスも必要なく、デッキ下の通風も確保できる。
【００４４】
請求項２に記載の発明によれば、位置決め部によって、束カバーの水平方向の位置決めを容易に行うことができ、よって束カバーをベースプレートに容易に設置できる。
【００４５】
請求項３に記載の発明によれば、束本体の周囲が束カバーに覆われた状態で、係合部に工具を係合して第２軸部を回すことによって、この第２軸部は螺合している第１軸部に対して軸方向に進退する。したがって、束本体の高さ調整を束カバーがあっても容易に行える。
【００４６】
請求項４に記載の発明によれば、束カバーは、デッキ材と同質の材料で形成されているので、デッキ材で形成されたデッキを正面および側面視したときに、束カバーとデッキ材とが調和して外観上好ましいものとなる。
【００４７】
請求項６に記載の発明によれば、幕板の下端が、束カバーの上端より下方に位置しているので、束本体によって支持されている大引を幕板によって隠すことができる。束本体は束カバーによって隠されているので、デッキ下で束本体、大引の両方を隠すことができ、外観上より好ましいものとなる。
【図面の簡単な説明】
【図１】本発明のデッキ材の支持構造の一例を示すもので、その斜視図である。
【図２】同、大引と固定具を示す斜視図である。
【図３】同、大引に端部のデッキ材とその隣のデッキ材を固定した状態を示す平断面図である。
【図４】同、正面図である。
【図５】同、要部の正断面図である。
【図６】同、要部の正面図である。
【図７】同、側面図である。
【図８】同、要部の側断面図である。
【図９】同、支持束の正断面図である。
【図１０】同、束本体の下部を示す斜視図である。
【符号の説明】
２　デッキ材
３　大引
６　支持束
７　束基礎
１５　ベースプレート
１６　束本体
１６ａ　第１軸部
１６ｂ　第２軸部
１６ｃ　受部
１６ｄ　ナット（係合部）
１７　束カバー
１８　位置決め部
２１　デッキ
【図１】
2004100256.tif 000003
【図２】
2004100256.tif 000004
【図３】
2004100256.tif 000005
【図４】
2004100256.tif 000006
【図５】
2004100256.tif 000007
【図６】
2004100256.tif 000008
【図７】
2004100256.tif 000009
【図８】
2004100256.tif 000010
【図９】
2004100256.tif 000011
【図１０】
2004100256.tif 000012